(57)【要約】【課題】梯子を立て掛ける場所に応じて、屋根の軒端に固定することも、雨樋に固定することもできる梯子固定具を提供する。【解決手段】建物に立て掛ける梯子の縦枠上部に固定し得る固定部材と、該固定部材に回動し得るように固定される掴持部材とを具備しているので、該掴持部材を上昇傾斜するように回動させて屋根を掴持することができ、該掴持部材を下降傾斜するように回動させて雨樋を掴持することができる。【選択図】        図３
2006307475.tif 000002
【特許請求の範囲】
【請求項１】
建物に立て掛ける梯子の縦枠上部に固定し得る固定部材と、該固定部材に回動し得るように固定される掴持部材とを具備し、該掴持部材を上昇傾斜するように回動させて屋根を掴持し、該掴持部材を下降傾斜するように回動させて雨樋を掴持し得るように構成したことを特徴とする梯子固定具。
【請求項２】
前記固定し得る固定部材が、凹部の両端を水平に折曲して連結部を形成した部材同士を、両凹部で梯子の縦枠を掴持し、両連結部を螺子で螺合締め付けるように構成されている請求項１記載の固定具。
【請求項３】
前記固定部材に円柱体を立設し、該円柱体に前記掴持部材の端部を嵌合して、前記掴持部材を固定部材に回動し得るように固定する請求項１又は２記載の固定具。
【請求項４】
前記掴持部材は、略Ｕ字状に形成され、Ｕ字状折曲部は、前記円柱体が嵌合し得るように形成され、前記Ｕ字状先端掴持部は、板体が対向するように形成され、両板体間で屋根又は雨樋を挟持するように構成されている請求項３に記載の固定具。
【請求項５】
前記Ｕ字状先端部の両板体の外側の一方若しくは両方から螺合した螺子棒先端で、直接若しくは押え板を介して屋根又は雨樋を押圧若しくは挟持する請求項４に記載の固定具。
【請求項６】
前記固定部材に設けた円柱体に螺子棒を連設し、該螺子棒の前記掴持部材からの突出部にナットを螺合して、前記掴持部材を回動し得るように固定する請求項３記載の固定具。
【請求項７】
前記円柱体に螺子孔を形成し、該螺子孔に前記掴持部材を介して螺子を螺合させて、前記掴持部材を回動し得るように固定する請求項３記載の固定具。
【請求項８】
前記雨樋には、棒状体を嵌合させ、前記掴持部材を下降傾斜するように回動させて雨樋を掴持する請求項１〜７のいずれかに記載の固定具。
【請求項９】
前記掴持部材を、ベランダを掴持し得るように形成し、これを前記屋根及び雨樋を掴持する掴持部材と交換し得るように構成する請求項２〜８のいずれかに記載の固定具。
【発明の詳細な説明】
【技術分野】
【０００１】
この発明は、梯子を建物に立て掛けて昇り降りする場合に、梯子の横滑りを防止する梯子固定具に関する。
【背景技術】
【０００２】
建物に立て掛ける梯子は、左右２本の縦枠の間に任意間隔の足掛け桟を多段状に設けた形状を有し、その上端部分を建物屋根縁に当てて立て掛けて昇降したり、昇った姿勢で建物作業を行うようになっている。
【０００３】
しかして梯子は単に立て掛けただけであるので、安定性が悪く、横滑りを生じやすい問題があり、極めて危険な作業であった。
【０００４】
このような問題を解消するため、種々の梯子固定具が提案されている。例えば、特開２００１−３５３０号公報には、梯子挟持具に回動可能に連結した固定具で、屋根の軒端を挟持固定して梯子を固定することが記載されている。
【特許文献１】特開２００１−３５３０号公報
【発明の開示】
【発明が解決しようとする課題】
【０００５】
しかしながら、建物に立て掛けたとき、建物の縁部に雨樋があると、その雨樋は屋根縁より若干突出しているので、立て掛けた梯子によって雨樋を押さえつけた状態になるが、この場合は、上記従来の固定具では、軒端を固定できない問題があった。しかも雨樋は変形し易いので安定性が悪いから、雨樋に梯子を立て掛けて作業をするのは、極めて危険であった。
【０００６】
この発明のうち請求項１に記載の発明は、このような欠点を解消した梯子固定具を提供しようとするものであり、梯子を立て掛ける場所に応じて、屋根の軒端に固定することも、雨樋に固定することもできる梯子固定具を提供することを目的とする。しかして、従来、屋根の軒端と雨樋のいずれにも固定できる梯子固定具は知られていないし、このような発想も全く知られていない。
【０００７】
また、請求項４に記載の発明は、屋根の軒端、雨樋及びベランダのいずれにも固定できる梯子固定具を提供することを目的とする。
【０００８】
上記目的に沿う本発明のうち請求項１に記載の発明は、建物に立て掛ける梯子の縦枠上部に固定し得る固定部材と、該固定部材に回動し得るように固定される掴持部材とを具備し、該掴持部材を上昇傾斜するように回動させて屋根を掴持し、該掴持部材を下降傾斜するように回動させて雨樋を掴持し得るように構成したことを特徴とする。
【０００９】
前記固定し得る固定部材としては、凹部の両端を水平に折曲して連結部を形成した部材同士を、両凹部で梯子の縦枠を掴持し、両連結部を螺子で螺合締め付けるように構成するのが好ましい（請求項２）。固定部材を梯子の縦枠に嵌合し得る筒状に形成し、該固定部材の外側から螺子をねじ込んで、梯子の縦枠に固定しても良い。
【００１０】
前記固定部材に円柱体を立設し、該円柱体に前記掴持部材の端部を嵌合して、前記掴持部材を固定部材に回動し得るように固定するのが好ましい（請求項３）。
【００１１】
前記掴持部材は、略Ｕ字状に形成され、Ｕ字状折曲部は、前記円柱体が嵌合し得るように形成され、前記Ｕ字状先端掴持部は、板体が対向するように形成され、両板体間で屋根又は雨樋を挟持するように構成するのが良い（請求項４）。
【００１２】
前記Ｕ字状先端部の両板体の外側の少なくとも一方から螺合した螺子棒先端で、直接若しくは押え板を介して屋根又は雨樋を押圧若しくは挟持するように構成するのが好ましい（請求項５）。
【００１３】
前記固定部材に設けた円柱体に螺子棒を連設し、該螺子棒の前記掴持部材からの突出部にナットを螺合して、前記掴持部材を回動し得るように固定するのが好ましい（請求項６）。
【００１４】
前記円柱体に螺子孔を形成し、該螺子孔に前記掴持部材を介して螺子を螺合させて、前記掴持部材を回動し得るように固定することもできる（請求項７）。
【００１５】
前記雨樋には、棒状体を嵌合させ、前記掴持部材を下降傾斜するように回動させて雨樋を掴持するようにすれば、雨樋の変形を確実に防止することが出来る（請求項８）。
【００１６】
前記掴持部材を、ベランダを掴持し得るように形成し、これを前記屋根及び雨樋を掴持する掴持部材と交換し得るように構成すれば、梯子を立て掛ける場所に応じて、屋根、雨樋及びベランダのいずれにも固定することが出来る（請求項９）。
【００１７】
本発明の梯子固定具の材質は特に限定されないが、ステンレス等の金属で形成するのが好ましい。
【発明の効果】
【００１８】
本発明のうち請求項１に記載の発明によれば、梯子を立て掛ける場所に応じて、屋根の軒端に固定することも、雨樋に固定することもできるので、どのような場所であっても梯子の横すべりを防止し、安全に作業をすることが出来ると共に、固定部材に掴持部材を回動し得るように連結しただけであるので、極めて安価に形成することが出来る。しかも、梯子上部に固定した状態で屋根若しくは雨樋を掴持することができるので、極めて簡単に装着することができる。
【００１９】
また、請求項４に記載の発明によれば、屋根の軒端及び雨樋以外にベランダに固定することもできるので、作業のし易さに応じて、固定場所を選択することが出来る。
【発明を実施するための最良の形態】
【００２０】
次に本発明の実施の形態を説明する。
【００２１】
図１は、本発明の実施例を示す分解斜視図であり、コ字形の凹部１（１´）の両端に水平に折曲したフランジ部２，２（２´，２´）を形成した部材３，３´同士を合わせるように、蝶螺子４，４で連結して固定部材５を形成している。固定部材５は、図２に示すように両コ字部１，１´で形成された筒状部６で梯子の縦枠７を掴持している。固定部材５としては、梯子の縦枠７に嵌合し得る筒状体とし、該筒状体の外側からねじ込んだ螺子によって、梯子に固定するようにしても差し支えない。
【００２２】
フランジ部を形成した部材の一方３には、螺子棒８が連設され、同螺子棒８には円筒体９が嵌合固定されている。同円筒体９には、掴持部材１０の端部の円筒状凹部１１（凹部の底面には貫通孔１２が形成されている）が嵌合し、貫通孔１２から突出した螺子棒８には、蝶ナット１３が螺合するようになっている。この蝶ナット１３の締め付け度合によって、掴持部材１０を回動させることも、所定の位置で固定することも出来るようになっている。
【００２３】
掴持部材１０は、一端が貫通孔１２を除いて閉鎖した円筒体に対向して板体１４，１４´が対向連設されている。両板体先端掴持部には、先端に円板１５，１５´を螺合した蝶螺子１６，１６´が螺合し、円板１５，１５´で屋根若しくは雨樋を掴持するようになっている。
【００２４】
蝶螺子４，４で連結するフランジ部２，２´のコ字形の凹部１，１´側には、ナット１７，１７´が固定されている。掴持部材１０の板体１４，１４´の蝶螺子１６，１６´側にもナット１８，１８´が固定されている。
【００２５】
図２は、図１の屋根若しくは雨樋掴持部材１０を、ベランダ掴持部材１９に交換する実施例を示すものである。
【００２６】
ベランダ掴持部材１９は、固定部材５に設けた円筒体９に嵌合する凹部１１´を有する一端が貫通孔１２´を除いて閉鎖された円筒体２０と、同円筒体２０をコーナー部で固定した縦長のコ字形掴持部２１と、同コ字形掴持部２１の上下に螺合する蝶ナット１６ａ，１６ａ´と、同蝶ナット１６ａ，１６ａ´先端に螺合した円板１５ａ，１５ａ´とから構成されている。
【００２７】
図３は、本発明の梯子固定具で屋根２２を挟持する例を示すものである。
【００２８】
まず、梯子の縦枠７上部に、固定部材５を蝶ナット４，４で締め付けることにより固定する。この場合、フランジ部を形成した部材３と３´とは、予め蝶ナット４，４で連結しておいて、梯子の縦枠７上端から筒状部６を嵌合させて、適当な位置で蝶ナット４，４を締め付けるようにすれば、容易に且つ短時間で固定することができる。
【００２９】
それから、掴持部材１０を適当な傾斜として、蝶ナット１３を螺合締め付ける。この状態で屋根の軒先部２２を蝶螺子１６，１６´先端に固定した円板１５，１５´間に挿入して、梯子を屋根に立て掛ける。円板１５，１５´間に挿入し難い場合は、蝶螺子と円板（蝶螺子に螺合している）を取り外して挿入すると良い。尚、掴持部の板体１４，１４´間の間隔を広くするか、又は掴持部の板体１４，１４´の一方若しくは両方を、蝶番等により折曲し得るように形成すれば、容易に屋根の軒先部２２を円板１５，１５´間に挿入することができる。
【００３０】
ついで、作業員が梯子に昇って、要すれば蝶螺子１３を緩めて適切な角度に調整し、蝶螺子１３を締め付け、超螺子１６，１６´を完全に締め付けて、本発明の梯子固定具を屋根に完全に固定する。
【００３１】
図４は、本発明の梯子固定具で雨樋２３を挟持する例を示すものである。通常は、雨樋２３は梯子を立て掛けても変形しないが、安全を考えてこの実施例では、雨樋２３内に棒状体２４を嵌め込んでいる。このように構成すれば、変形し易い雨樋の場合でも、その変形を防止することが出来る。
【００３２】
前記実施例と同様にして、梯子の縦枠７上部の適当な位置に、固定部材５を固定し、掴持部材１０を適当な傾斜とする。
【００３３】
この状態で、雨樋２３を蝶ナット１６，１６´先端に固定した円板１５，１５´間に挿入して、梯子を屋根に立て掛ける。この場合も、掴持部の板体１４，１４´間の間隔を広くするか、掴持部の板体１４，１４´の一方若しくは両方を、蝶番等により折曲し得るように形成すれば、雨樋に容易に挿入することができる。
【００３４】
尚、屋根の軒先部に固定する場合も、雨樋に固定する場合も、梯子を屋根若しくは雨樋に立て掛けた後、梯子に作業員が昇って、それから屋根若しくは雨樋を掴持することもできる。この場合も、掴持部の板体１４，１４´の一方若しくは両方を、蝶番等により折曲し得るように形成すれば、屋根若しくは雨樋への固定が容易となる。
【００３５】
図４は、本発明の梯子固定具をベランダ２５に固定する実施例を示すものである。この場合は、図２に示すようにして、掴持部材１０をベランダ掴持部材１９に交換しておく。
【００３６】
前記実施例と同様にして、梯子の縦枠７上部の適当な位置に、固定部材５を固定し、掴持部材１９を適当な傾斜とする。
【００３７】
この状態で、蝶螺子先端に固定した円板１５，１５´間にベランダ２５を挿入して、梯子を屋根に立て掛ける。この場合も、掴持部の板体１４，１４´間の間隔を広くするか、掴持部の板体１４，１４´の一方若しくは両方を、蝶番等により折曲し得るように形成すれば、ベランダに容易に挿入することができる。
【００３８】
本発明の梯子固定具は、通常は梯子に１個固定すれば良いが、梯子の対向する縦枠療法に固定し、２箇所で屋根若しくは雨樋を掴持しても良い。
【００３９】
上記実施例では、対向する板体１４，１４´にねじ込んだ蝶螺子１６，１６´で屋根、雨樋若しくはベランダを挟持しているが、板体の一方からねじ込んだ蝶螺子で押圧固定することも出来る。また、対向する板体間に屋根、雨樋若しくはベランダを間隔付けて挟持し、他の手段によって板体１４，１４´で屋根、雨樋若しくはベランダを挟持（掴持）しても差し支えない。
【図面の簡単な説明】
【００４０】
【図１】本発明の一実施例を示す分解斜視図である。
【図２】本発明の他の実施例を示す斜視図である。
【図３】本発明の梯子固定具を屋根に固定する状態を示す斜視図である。
【図４】本発明の梯子固定具を雨樋に固定する状態を示す斜視図である。
【図５】本発明の梯子固定具をベランダに固定する状態を示す斜視図である。
【符号の説明】
【００４１】
図中、
１，１´・・・コ字形の凹部
２，２´・・・コ字形の凹部の両端フランジ部
３，３´・・・凹部の両端にフランジ部を形成した部材
５・・・固定部材
７・・・梯子の縦枠
９・・・円筒体
１０・・・掴持部材
１１・・・円筒状凹部
１４，１４´・・・板体
１９・・・ベランダ掴持部材
２２・・・屋根
２３・・・雨樋
２４・・・棒状体
２５・・・ベランダ
【図１】
2006307475.tif 000003
【図２】
2006307475.tif 000004
【図３】
2006307475.tif 000005
【図４】
2006307475.tif 000006
【図５】
2006307475.tif 000007